(57)【要約】【課題】埋込型照明器具において、光源を広範囲かつ四方向に首振り可能とする。【解決手段】埋込型照明器具１は、光源２と、光源２を首振り自在に支持する取付枠体３と、取付枠体３が組み付けられる筐体４と、を備える。取付枠体３は、取付枠体３を筐体４に係止させるための係止部３１を有し、筐体４は、係止部３１が係止される係止受部４１を有する。また、筐体４は、取付枠体３と組合わせられる開口部４２と、開口部４２と対向する上底部４３と、開口部４２及び上底部４３を連接すると共に、相互に離間する複数の柱部４４と、を備える。この構成により、光源２が、首振り状態で、離間した柱部４４の間から筐体４外に露出するので、筐体４によって首振りが妨げられず、大きな首振り角度が確保される。また、係止受部４１が柱部４４に設けられるので、係止部３１及び係止受部４１が光源２の首振りを妨げることなく、光源２は四方向に首振ることができる。【選択図】図１
2008226749.tif 000002
【特許請求の範囲】
【請求項１】
光源と、前記光源を首振り自在に支持する取付枠体と、前記取付枠体が組み付けられる筐体と、を備え、前記取付枠体は、該取付枠体を前記筐体に係止させるための係止部を有し、前記筐体は、前記係止部が係止される係止受部を有した埋込型照明器具において、
前記筐体は、
前記取付枠体と組合わせられる開口部と、
前記開口部と対向する上底部と、
前記開口部と前記上底部とを連接すると共に、相互に離間する複数の柱部と、
を備えていることを特徴とする埋込型照明器具。
【請求項２】
前記係止受部は、前記柱部に設けられることを特徴とする請求項１に記載の埋込型照明器具。
【請求項３】
前記係止部は、キックバネであることを特徴とする請求項１又は請求項２に記載の埋込型照明器具。
【発明の詳細な説明】
【技術分野】
【０００１】
本発明は、天井等の器具取付面に形成された埋込穴に取り付けられ、光の照射方向を可変とした埋込型照明器具に関する。
【背景技術】
【０００２】
従来から、商店や各種の展示施設等では、天井等の器具取付面に形成された埋込穴に取り付けられる埋込型照明器具が広く用いられている。埋込型照明器具は、反射鏡等を含む照明器具本体部が天井裏等に埋め込まれて室内側からは視認されないため、例えば、吊り下げ式の透明器具灯と違って、室内空間をスッキリとした印象にすることができ、また、部分的な光照射ができるので、展示品等の対象物を明るく照らすことができる。
【０００３】
上記のような埋込型照明器具の取り付けにおいては、例えば、特許文献１に示されるように、天井裏に取付器具を設置しておき、光源を含む器具本体を、Ｖ字形状のキックバネにより上記の取付器具に係止する手法が知られている。このようなキックバネを用いると、簡単な構成により埋込穴に照明器具を係止することができ、また、キックバネの開脚度やバネ材の湾曲度を変化させることにより、取付方向に対する付勢力を容易に調整できる。
【０００４】
上記特許文献１に示される埋込型照明器具は、埋込型照明器具の直下方向にのみ光を照射できるものであるが、展示施設等によっては、所定位置に置かれた展示対象を明るく照らすために、光の照射方向を可変とした照明器具が用いられる。このような照明器具として、例えば、特許文献２に示されるように、光源を含む灯体部を首振り自在とすることにより、光の照射方向を可変とした埋込型照明器具が知られている。
【０００５】
また、従来から、光源を首振り自在とした埋込型照明器具を設置するには、図４に示されるように、天井等の取付面に設けられた埋込穴（図示せず）に、埋込型照明器具１０１の筐体１０４を室内側から視認されないように固定しておき、また、光源１０２を首振り自在に支持する取付枠体１０３にはキックバネ１３１を、筐体１０４にはキックバネ１３１を受けるＵ字形状のバネ受け部１４１を設けておき、上記のキックバネ１３１をバネ受け部１４１に引っ掛けて、バネ付勢により取付枠体１０３を筐体１０４側へ持ち上げて係止する手法が用いられている。
【０００６】
上記のように、キックバネ１３１により埋込型照明器具１０１を安定的に天井裏に係止するには、少なくとも２箇所のバネ受け部１４１及びキックバネ１３１により筐体１０４と取付枠体１０３とを係止する必要がある。例えば、図４に示される箱型形状の埋込型照明器具１０１では、筐体１０４の対向する内側面の２箇所にバネ受け部１４１を設けるのが一般的である。
【特許文献１】特開平９−１２９０２２号公報
【特許文献２】実開平７−１５０５号公報
【発明の開示】
【発明が解決しようとする課題】
【０００７】
しかしながら、上記のような埋込型照明器具１０１では、図４の矢印Ａ及びＢで示される方向に対しては光源１０２の大きな首振り角度を確保できるが、図４の矢印Ｃ及びＤで示される方向に対しては、光源１０２のソケット部１２１がバネ受け部１４１に接触するため、十分な首振り角度を確保できない。筐体１０４を大きく設計すれば、矢印Ｃ及びＤの方向に対して、ある程度の首振り角度を確保できるが、埋込型照明器具１０１全体のサイズが増大するので、照明器具のコストアップ及び施工性の低下を招く虞がある。
【０００８】
本発明は、上記課題を解決するものであり、光源を四方向に首振ることができ、かつ広範囲の首振り角度を有し、コンパクトで施工性に優れた埋込型照明器具を提供することを目的とする。
【課題を解決するための手段】
【０００９】
上記課題を解決するため、請求項１の発明は、光源と、前記光源を首振り自在に支持する取付枠体と、前記取付枠体が組み付けられる筐体と、を備え、前記取付枠体は、該取付枠体を前記筐体に係止させるための係止部を有し、前記筐体は、前記係止部が係止される係止受部を有した埋込型照明器具において、前記筐体は、前記取付枠体と組合わせられる開口部と、前記開口部と対向する上底部と、前記開口部と前記上底部とを連接すると共に、相互に離間する複数の柱部と、を備えているものである。
【００１０】
請求項２の発明は、請求項１に記載の埋込型照明器具において、前記係止受部は、前記柱部に設けられるものである。
【００１１】
請求項３の発明は、請求項１又は請求項２に記載の埋込型照明器具において、前記係止部をキックバネとしたものである。
【発明の効果】
【００１２】
請求項１の発明によれば、複数の柱部が相互に離反して配置されることにより、複数の柱部の隙間が生じるので、光源を首振り状態としたとき、この隙間から光源の一部が筐体外に露出して、筐体により光源の首振り角度が制限されない。そのため、光源の首振りの可動範囲が広くなり、また、光源の首振り角度を確保するために筐体を大きく設計する必要もないので、埋込型照明器具をコンパクトで施工性に優れたものとすることができる。
【００１３】
請求項２の発明によれば、係止受部が光源の首振りを妨げることがないので、光源を四方向に対して首振りすることができ、任意の方向に照明光を照射することができる。
【００１４】
請求項３の発明によれば、キックバネのバネ付勢により、取付枠体を筐体に係止することができるので、施工性が良く、また、施工後においては取付枠体を引っ張ることで、筐体から取付枠体を取り出すことができ、容易に光源を交換することができる。
【発明を実施するための最良の形態】
【００１５】
本発明の一実施形態に係る埋込型照明器具について、図面を参照して説明する。図１は本実施形態の埋込型照明器具１の各構成部を分解した状態を示し、図２は上記の各構成部を組み立てた埋込型照明器具１の使用状態を示し、図３は、図２のＸ−Ｘ’線断面を示す。埋込型照明器具１は、光源２と、光源２を首振り自在に支持する取付枠体３と、取付枠体３が組み付けられる筐体４と、を備える。また、取付枠体３は、取付枠体３を筐体に４係止させるための係止部３１を有し、筐体４は、係止部３１が係止される係止受部４１を有する。
【００１６】
筐体４は、天井等の器具取付面５に設けられた埋込穴５０に、室内側から視認されないように埋め込まれる。例えば、筐体４の開口部４２の外縁には、上底面４３と水平方向に延伸された固定縁４５が形成されており、埋込穴５０が上底面４３と略同形状に形成されているとき、室内側から筐体４を埋込穴５０へ挿入すると、筐体４は、固定縁４５が器具取付面５の室内側面と接する位置で停止する。また、器具取付面５の天井裏側からは、固定具４６を用い、上記の固定縁４５と固定具４６とで器具取付面５を挟み込むことにより筐体４は固定される。この方法によると、室内側から筐体４を器具取付面５に固定することができるので、器具の施工性が良い。なお、筐体４を器具取付面５に確実に固定されるものであれば、これに限らず適宜の方法が用いられる。また、本実施形態では、埋込穴５０は角型に形成され、この埋込穴５０に埋め込まれる箱型形状の筐体４を有する埋込型照明器具１を例とするが、埋込穴５０及び筐体４の形状は必ずしもこれらに限られない。
【００１７】
光源２は、ハロゲンランプから成る汎用の傘付き電球が用いられるが、白熱電球、メタルハライドランプ、電球型蛍光灯又は高輝度ＬＥＤランプ等であってもよい。なお、光源２の光出射側と反対の傘側には、ソケット部２１が備えられ、ソケット部２１には電気配線２２が接続され、光源２に電力が供給される。
【００１８】
取付枠体３は、上述の係止部３１に加え、埋込穴５０よりも若干大きめに形成された基盤３０と、光源２を搭載する円筒形状の支持体３２と、筐体４の開口部４２に組み込まれるように形成され、支持体３２を搭載する支持枠３３と、を備える。基盤３０は、光出射口となる円形の開口部（図示せず）を有し、支持枠３３は、支持体３２を搭載するための軸受け部３３ａと、係止部３１を取り付けるため係止取付部３４と、を有する。
【００１９】
係止部３１は、本実施形態において、Ｖ字形状のキックバネが用いられる。この係止部３１（キックバネ）は、図１の点線矢印で示されるように、係止部３１の両端部が離れる方向にバネ付勢されている。なお、係止部３１の開脚度やバネ材の湾曲度は適宜に調整される。また、取付枠体３が角型形状であるとき、係止取付部３４は基盤３０の対角の２箇所に形成され、係止部３１は、両端部を上向きにして、Ｖ字形状の中折れ部を各係止取付部３４に引っ掛けることにより取り付けられる。
【００２０】
支持体３２は外枠３５と内枠３６から成る。外枠３５は、上記基盤３０の軸受け部３０ａと係合する回転軸３５ａを備え、図１に示される矢印Ｃ及びＤの方向へ首振り自在となっている。また、外枠３５は、内枠３６を搭載するための軸受け部３５ｂを備える。内枠３６は、その内周縁が光源２の光出射面の形状と適合するように形成され、上記外枠３５の軸受け部３５ｂと係合する回転軸３６ｂを備え、図１に示される矢印Ａ及びＢの方向へ首振り自在となっている。また、内枠３６は、光源２を固定するためのランプ押えバネ２３を引っ掛ける切欠部３６ｃを備える。なお、外枠３５の外縁の一部は切削されており、これにより、内枠３６の図１に示される矢印Ａ及びＢの方向へ首振り角度が確保される。
【００２１】
筐体４は、取付枠体３と組合わせられる開口部４２と、開口部４２と対向する上底部４３と、開口部４２と上底部４３とを連接すると共に、相互に離間する複数の柱部４４と、を備える。上述の係止受部４１は、柱部４４に設けられ、バネ付勢された係止部３１を確実に係止できるように、上底部４３と平行な断面がＵ字形状となるよう形成されている。
【００２２】
ここで、取付枠体３の筐体４への取り付け手順について、上述の図１を参照して説明する。まず、ランプ押えバネ２３を用いて光源２を支持体３２の内枠３６に取り付ける。また、筐体４の上底部４３には配線穴４３ａが設けられており、この配線穴４３ａに電気配線２２を通して、ソケット部２１に接続しておく。次に、光源２及び支持体３２を搭載した取付枠体３を下方から筐体４の開口部４２へ近接させ、ソケット部２１を光源２に取り付けると共に、係止部３１の両端部の距離を短く保ちながら、この両端部を係止受部４１に引っ掛ける。係止部３１は、その両端部が離れる方向にバネ付勢されているので、係止受部４１を支点として、取付枠体３を上方へ持ち上げる力を生み、取付枠体３は開口部４２に嵌め込まれる。このように、埋込型照明器具１は、キックバネのバネ付勢により、取付枠体３を筐体４に容易に係止することができるので、施工性が良い。
【００２３】
上述のような本実施形態の埋込型照明器具１においては、複数の柱部４４が相互に離間して配置されるので、図２及び図３に示されるように、光源２を首振り状態としたとき、柱部４４の間から光源２に取り付けられたソケット部２１の部分が、複数の柱部４４の隙間から筐体４外へ露出して、筐体４により光源２の首振りが妨げされない。そのため、光源２の首振りの可動範囲が広くなり、また、光源２の首振り角度を確保するために筐体４を大きく設計する必要もないので、埋込型照明器具１をコンパクトで施工性に優れたものとすることができる。
【００２４】
従来の埋込型照明器具１０１では、図４に示されるように、筐体１０４の側面に係止受部１４１が設けられていたので、この係止受部１４１により、図４に示される矢印Ｃ及びＤの方向に対する光源１０２の首振りが制限されていた。これに対して、本実施形態の埋込型照明器具１では、係止受部４１が柱部４４に設けられているので、係止受部４１が光源２の首振りを邪魔することなく、図２に示される矢印Ａ、Ｂ、Ｃ及びＤの何れの方向に対しても首振りが可能となる。そのため、ユーザは任意の方向に照明光を照射できる。
【００２５】
また、光源２の取替えに際しては、取付枠体３を引き下げて、光源２からソケット部２１を取り外し、更にランプ押えバネ２３を解除して、光源２を支持体３２から取り外す。新しい光源２の取付は、上述した取付枠体３の筐体４への取り付け手順に準じる。このように、係止部３１にキックバネを用いると、埋込型照明器具１が天井に取り付けられた状態においても、ユーザが取付枠体３を引き下げることにより、容易に光源２を交換することができる。
【００２６】
なお、本発明は、上記実施形態の構成に限られることなく種々の変形が可能である。例えば、筐体の開口部と上底部とを相互に離間する複数の柱部で連接した構成にあって、光源の首振り角度を十分に確保し、また、柱部に係止受部を設け、係止部及び係止受部が光源の首振りを妨げないようにしたものであれば、任意の構成を採用しうる。また、筐体の形状は、例えば円筒形状といったように、箱型以外の形状であってもよい。
【図面の簡単な説明】
【００２７】
【図１】本発明の一実施形態に係る埋込型照明器具の分解斜視図。
【図２】同埋込型照明器具の使用状態における斜視図。
【図３】図２のＸ−Ｘ’線断面図。
【図４】従来の埋込型照明器具の斜視図。
【符号の説明】
【００２８】
１    埋込型照明器具
２    光源
３    取付枠体
３１    係止部（キックバネ）
４    筐体
４１    係止受部
４２    開口部
４３    上底部
４４    柱部
【図１】
2008226749.tif 000003
【図２】
2008226749.tif 000004
【図３】
2008226749.tif 000005
【図４】
2008226749.tif 000006